(57)【要約】【課題】反射防止性を向上できる防眩フィルムを提供する。【解決手段】視感度反射率が３〜３．８％であり、かつヘイズが４０％以上である防眩フィルムを調製する。この防眩フィルムは、６０度グロスが１５％以下であってもよい。この防眩フィルムは、透明基材層と、この透明基材層の少なくとも一方の面に形成された防眩層とを含み、前記防眩層が、１種以上のポリマー成分及び１種以上の硬化樹脂前駆体成分を含む硬化性組成物の硬化物であってもよく、特に、ポリマー成分及び硬化樹脂前駆体成分から選択される少なくとも２つの成分が、湿式スピノーダル分解により相分離可能であってもよい。【選択図】なし【特許請求の範囲】
【請求項１】
視感度反射率が３〜３．８％であり、かつヘイズが４０％以上である防眩フィルム。
【請求項２】
６０度グロスが１５％以下である請求項１記載の防眩フィルム。
【請求項３】
透明基材層と、この透明基材層の少なくとも一方の面に形成された防眩層とを含み、前記防眩層が、１種以上のポリマー成分及び１種以上の硬化樹脂前駆体成分を含む硬化性組成物の硬化物である請求項１又は２記載の防眩フィルム。
【請求項４】
ポリマー成分及び硬化樹脂前駆体成分から選択される少なくとも２つの成分が、湿式スピノーダル分解により相分離可能である請求項３記載の防眩フィルム。
【請求項５】
ポリマー成分が、セルロースエステル類及び／又は重合性基を有していてもよい（メタ）アクリル系重合体を含む請求項３又は４記載の防眩フィルム。
【請求項６】
硬化樹脂前駆体成分が、多官能（メタ）アクリレート、エポキシ（メタ）アクリレート、ポリエステル（メタ）アクリレート、ウレタン（メタ）アクリレート及びシリコーン（メタ）アクリレートから選択された少なくとも１種を含む請求項３〜５のいずれかに記載の防眩フィルム。
【請求項７】
硬化樹脂前駆体成分が、シリカナノ粒子及び／又はフッ素原子を含む請求項３〜６のいずれかに記載の防眩フィルム。
【請求項８】
硬化性組成物を熱又は活性エネルギー線で硬化させる硬化工程を含む請求項３〜７のいずれかに記載の防眩フィルムの製造方法。
【請求項９】
支持体の上に、１種以上のポリマー成分及び１種以上の硬化樹脂前駆体成分を含む硬化性組成物を塗布して乾燥することにより、ポリマー成分及び硬化樹脂前駆体成分から選択される少なくとも２つの成分を、湿式スピノーダル分解により相分離させる相分離工程をさらに含み、硬化工程が、相分離した硬化性組成物を熱又は活性エネルギー線で硬化させる硬化工程である請求項８記載の防眩フィルムの製造方法。
【請求項１０】
請求項１〜７のいずれかに記載の防眩フィルムを備えた表示装置。
【請求項１１】
有機ＥＬディスプレイ又は液晶表示装置である請求項１０記載の表示装置。
【請求項１２】
視感度反射率及びヘイズを、それぞれ３〜３．８％及び４０％以上に調整し、防眩フィルムの防眩性及び視認性を向上する方法。
【発明の詳細な説明】
【技術分野】
【０００１】
本発明は、液晶表示装置（ＬＣＤ）や有機エレクトロルミネッセンス（ＥＬ）ディスプレイなどの各種表示装置に利用できる防眩フィルム並びにその製造方法及び用途に関する。
【背景技術】
【０００２】
防眩フィルムは、ＬＣＤや有機ＥＬディスプレイなどの画像表示装置における表示面での外景の映り込みを防止し、視認性を向上させるためのフィルムとして広く利用されている。防眩フィルムでは、表面に凹凸形状を形成して外光を散乱反射させることにより、防眩性を発現しているが、外光の散乱光が強すぎる場合には、画像表示装置の表示全体が白くなったり、表示が濁った色になり、視認性が低下し易い。また、表面の凹凸形状と画像表示装置の画素とが干渉して輝度分布が見え難くなり、ギラツキが発生し易くなる。
【０００３】
そこで、このような防眩フィルムの視認性の低下やギラツキの発生を抑制するために、特開２０１６−３３６５９号公報（特許文献１）には、透明支持体と、その上に形成された表面凹凸形状を有する防眩層とを備える防眩フィルムであって、全ヘイズが０．１〜３％であり、表面ヘイズが０．１〜２％であり、正反射光込み方式で測定した視感反射率ＲＳＣＩと正反射光除去方式で測定した視感反射率ＲＳＣＥとの比ＲＳＣＥ／ＲＳＣＩが０．１以下であり、前記Ｚ表面凹凸形状の凸部の頂点を母点としてその表面をボロノイ分割したときに形成される多角形の面積の平均値が５０〜１５０μｍ２であり、かつ前記多角形の面積の変動係数が４０〜８０％である防眩フィルムが開示されている。
【０００４】
しかし、この防眩フィルムでも、黒っぽさを重視するあまり、正反射が強くなり、防眩性が十分ではなかった。すなわち、従来の防眩フィルムでは、単に蛍光灯をぼかして眩しさを抑制することを指向しており、反射感（特に正反射による反射光）による眩しさは低減されていなかった。また、視認性を向上させるためには、光散乱性を弱めてヘイズを低下させる必要があり、必然的に防眩性は低下する傾向がある。すなわち、防眩性と視認性とはトレードオフの関係にあり、これらの特性を同時に充足させるのは非常に困難であった。特に、中型スクリーンの表示装置（例えば、ノート型又はラップトップ型ＰＣやデスクトップ型ＰＣなどのＰＣ、テレビなど）では、視認性、反射防止性を含む防眩性、透明性などのいずれの特性も高度に要求されるため、バランスを取るのが困難である。
【先行技術文献】
【特許文献】
【０００５】
【特許文献１】特開２０１６−３３６５９号公報（請求項１）
【発明の概要】
【発明が解決しようとする課題】
【０００６】
従って、本発明の目的は、反射防止性を向上できる防眩フィルム並びにその製造方法及び用途を提供することにある。
【０００７】
本発明の他の目的は、画像の視認性と透明性と防眩性とをいずれも充足できる防眩フィルム並びにその製造方法及び用途を提供することにある。
【課題を解決するための手段】
【０００８】
本発明者らは、前記課題を達成するため鋭意検討の結果、視感度反射率が３．８％以下であり、かつヘイズが４０％以上である防眩フィルムを調製することにより、反射防止性を向上できることを見出し、本発明を完成した。
【０００９】
すなわち、本発明の防眩フィルムは、視感度反射率が３．８％以下であり、かつヘイズが４０％以上である。この防眩フィルムは、６０度グロス（光沢）が１５％以下であってもよい。前記防眩フィルムは、透明基材層と、この透明基材層の少なくとも一方の面に形成された防眩層とを含み、前記防眩層が、１種以上のポリマー成分及び１種以上の硬化樹脂前駆体成分を含む硬化性組成物の硬化物であってもよい。前記硬化性組成物は、ポリマー成分及び硬化樹脂前駆体成分から選択される少なくとも２つの成分が、湿式スピノーダル分解により相分離可能であってもよい。前記ポリマー成分は、セルロースエステル類及び／又は重合性基を有していてもよい（メタ）アクリル系重合体を含んでいてもよい。前記硬化樹脂前駆体成分は、多官能（メタ）アクリレート、エポキシ（メタ）アクリレート、ポリエステル（メタ）アクリレート、ウレタン（メタ）アクリレート及びシリコーン（メタ）アクリレートから選択された少なくとも１種を含んでいてもよい。前記硬化樹脂前駆体成分は、シリカナノ粒子及び／又はフッ素原子を含んでいてもよい。
【００１０】
本発明には、硬化性組成物を熱又は活性エネルギー線で硬化させる硬化工程を含む前記防眩フィルムの製造方法も含まれる。この製造方法は、支持体の上に、１種以上のポリマー成分及び１種以上の硬化樹脂前駆体成分を含む硬化性組成物を塗布して乾燥することにより、ポリマー成分及び硬化樹脂前駆体成分から選択される少なくとも２つの成分を、湿式スピノーダル分解により相分離させる相分離工程をさらに含んでいてもよい。前記硬化工程は、相分離した硬化性組成物を熱又は活性エネルギー線で硬化させる硬化工程であってもよい。
【００１１】
本発明には、前記防眩フィルムを備えた表示装置も含まれる。この表示装置は、有機ＥＬディスプレイ又は液晶表示装置であってもよい。
【００１２】
本発明には、視感度反射率及びヘイズを、それぞれ３．８％以下及び４０％以上に調整し、防眩フィルムの防眩性及び視認性を向上する方法も含まれる。
【００１３】
なお、本明細書及び特許請求の範囲において、（メタ）アクリレートは、メタクリル酸エステル、アクリル酸エステルの双方を含む。
【発明の効果】
【００１４】
本発明では、防眩フィルムの視感度反射率が３．８％以下であり、かつヘイズが４０％以上であるため、反射防止性を向上できる。すなわち、本発明の防眩フィルムでは、反射率を低下させることにより目に入る光の量を低減し、眩しさを抑制できるが、ヘイズも高いため、蛍光灯などの映り込みをぼかして眩しさを抑制する防眩性も向上できる。さらに、特定の硬化性組成物を湿式スピノーダル分解することにより、画像の視認性と透明性と防眩性とをいずれも充足できる。
【発明を実施するための形態】
【００１５】
［防眩フィルムの光学特性］
本発明の防眩フィルムは、視感度反射率及びヘイズが特定の範囲に調整されているため、反射防止性も含む防眩性を向上できる。
【００１６】
本発明の防眩フィルムの視感度反射率は３．８％以下であればよいが、反射防止性の点から、例えば０．５〜３．７％、好ましくは１〜３．６％、さらに好ましくは１．５〜３．５％（特に２〜３％）程度であってもよい。このような範囲を有する視感度反射率は、中型スクリーンの表示装置のなかでも、精細度５０〜１５０ｐｐｉ程度の表示装置（ラップトップ型又はデスクトップ型ＰＣ、テレビなど）に対して特に有効である。さらに、中型スクリーンの表示装置のなかでも、精細度が１５０ｐｐｉを超えて３００ｐｐｉ以下程度である表示装置（ノート型ＰＣやタブレットＰＣなど）に対しては、視認性と透明性と防眩性とのバランスを取れる点から、例えば２〜３．８％、好ましくは３〜３．７８％、さらに好ましくは３．５〜３．７５％程度であってもよい。視感度反射率が高すぎると、反射光によって視認性が低下する。
【００１７】
なお、本明細書及び特許請求の範囲において、視感度反射率は、ＪＩＳ  Ｚ８７０１に準拠して測定でき、詳細には、後述する実施例に記載の方法で測定できる。
【００１８】
本発明の防眩フィルムは、視認性を有しているにも拘わらず、高いヘイズを有しており、具体的なヘイズは４０％以上であればよいが、防眩性を向上できる点から、例えば４０〜１００％、好ましくは５０〜９９．９％（例えば８０〜９９．５％）、さらに好ましくは８５〜９９％（特に９０〜９８％）程度である。このような範囲を有するヘイズは、中型スクリーンの表示装置のなかでも、精細度５０〜１５０ｐｐｉ程度の表示装置に対して特に有効である。さらに、中型スクリーンの表示装置のなかでも、精細度が１５０ｐｐｉを超えて３００ｐｐｉ以下程度である表示装置に対しては、視認性と透明性と防眩性とのバランスを取れる点から、ヘイズは、例えば４０〜７０％、好ましくは４２〜６０％、さらに好ましくは４３〜５０％程度であってもよい。ヘイズが低すぎると、防眩性が低下する。一方、ヘイズが高すぎると、視認性が低下する虞がある。
【００１９】
本発明の防眩フィルムの全光線透過率は、例えば７０％以上（例えば７０〜１００％）、好ましくは８０〜９９．９％、さらに好ましくは８５〜９９％（特に９０〜９８％）程度である。全光線透過率が低すぎると、透明性が低下する虞がある。
【００２０】
なお、本明細書及び特許請求の範囲において、ヘイズ及び全光線透過率は、ＪＩＳ  Ｋ７１０５に準拠して、ヘイズメーター（日本電色工業（株）製「ＮＤＨ−５０００Ｗ」）を用いて測定できる。
【００２１】
本発明の防眩フィルムの６０度グロス（防眩フィルムが、防眩層と透明基材層との積層体である場合、防眩層表面の６０度グロス）は１５％以下であってもよく、視認性を向上できる点から、例えば０〜１３％、好ましくは０．１〜１２％（例えば０．２〜１０％）、さらに好ましくは０．３〜５％（特に０．５〜１％）程度である。このような範囲を有する６０度グロスは、中型スクリーンの表示装置のなかでも、精細度５０〜１５０ｐｐｉ程度の表示装置に対して特に有効である。さらに、中型スクリーンの表示装置のなかでも、精細度が１５０ｐｐｉを超えて３００ｐｐｉ以下程度である表示装置に対しては、視認性と透明性と防眩性とのバランスを取れる点から、６０度グロスは、例えば３〜１５％、好ましくは５〜１２％、さらに好ましくは６〜１０％程度であってもよい。６０度グロスが大きすぎると、防眩性が低下する虞がある。
【００２２】
本明細書及び特許請求の範囲において、６０度グロスは、ＪＩＳ  Ｋ８７４１に準拠して、グロスメーター（（株）堀場製作所製「ＩＧ−３２０」）を用いて測定できる。
【００２３】
本発明の防眩フィルムの透過像鮮明度は、０．５ｍｍ幅の光学櫛を使用した場合、８０％以下であってもよく、例えば１〜８０％、好ましくは３〜７０％（例えば５〜６０％）、さらに好ましくは１０〜５０％（特に３０〜４０％）程度である。このような範囲を有する透過像鮮明度は、中型スクリーンの表示装置のなかでも、精細度５０〜１５０ｐｐｉ程度の表示装置に対して特に有効である。さらに、中型スクリーンの表示装置のなかでも、精細度が１５０ｐｐｉを超えて３００ｐｐｉ以下程度である表示装置に対しては、視認性と透明性と防眩性とのバランスを取れる点から、０．５ｍｍ光学櫛を使用した透過像鮮明度は、例えば１〜３０％、好ましくは１．５〜２０％（例えば２〜１０％）、さらに好ましくは３〜７％（特に４〜６％）程度である。透過像鮮明度が大きすぎると、防眩性が低下する虞がある。
【００２４】
透過像鮮明度とは、フィルムを透過した光のボケや歪みを定量化する尺度である。透過像鮮明度は、フィルムからの透過光を移動する光学櫛を通して測定し、光学櫛の明暗部の光量により値を算出する。すなわち、フィルムが透過光をぼやかす場合、光学櫛上に結像されるスリットの像は太くなるため、透過部での光量は１００％以下となり、一方、不透過部では光が漏れるため０％以上となる。透過像鮮明度の値Ｃは光学櫛の透明部の透過光最大値Ｍと不透明部の透過光最小値ｍから次式により定義される。
【００２５】
Ｃ（％）＝［(Ｍ−ｍ)／(Ｍ＋ｍ)］×１００
すなわち、Ｃの値が１００％に近づく程、防眩フィルムによる像のボケが小さい［参考文献；須賀、三田村，塗装技術，１９８５年７月号］。
【００２６】
前記透過像鮮明度測定の測定装置としては、スガ試験機（株）製写像性測定器ＩＣＭ−１ＤＰが使用できる。光学櫛としては、０．１２５〜２ｍｍ幅の光学櫛を用いることができる。
【００２７】
［防眩層］
本発明の防眩フィルムは、前記光学特性を発現するための防眩層を含んでいればよく、材質や構造は限定されないが、通常、微細な凹凸形状が表面に形成された透明材料で形成されており、この凹凸形状によって表面反射による外景の映り込みを抑制して防眩性を向上できる。
【００２８】
本発明の防眩フィルムは、防眩層単独で形成されていてもよく、透明基材層と、この透明基材層の少なくとも一方の面に形成された防眩層とを含んでいてもよい。
【００２９】
防眩層は、透明材料で形成されていればよく、有機材料及び無機材料のいずれの材料で形成されていてもよいが、生産性や取り扱い性などの点から、樹脂成分を含む組成物で形成された防眩層が好ましい。防眩層の表面は、前述のように、通常、凹凸形状を有しており、この凹凸形状は、特に限定されず、物理的な加工や型を用いた転写などによって形成された凹凸形状であってもよいが、生産性などの点から、樹脂成分を含む組成物で形成された防眩層において、樹脂成分の相分離構造によって形成された微細な凹凸形状や粒子の形状に対応した微細な凹凸形状であってもよい。なかでも、１種以上の硬化樹脂前駆体成分を含む硬化性組成物の硬化物において、液相からのスピノーダル分解（湿式スピノーダル分解）により形成された凹凸形状や、粒子（例えば、ポリアミド粒子などの熱可塑性樹脂粒子や、架橋ポリ（メタ）アクリル酸エステル粒子、架橋ポリスチレン系粒子、架橋ポリウレタン粒子などの架橋高分子粒子など）を含有させて粒子形状によって形成された凹凸形状が好ましく、視認性と透明性と防眩性とを両立できる凹凸形状を形成し易い点から、湿式スピノーダル分解により形成された凹凸形状が特に好ましい。
【００３０】
湿式スピノーダル分解により形成された凹凸形状を有する防眩層は、１種以上のポリマー成分及び１種以上の硬化樹脂前駆体成分を含む硬化性組成物の硬化物であってもよい。詳しくは、防眩層は、１種以上のポリマー成分と１種以上の硬化樹脂前駆体成分と溶媒とを含む組成物（混合液）を用い、この組成物の液相から、溶媒を乾燥などにより蒸発又は除去する過程で、濃度の濃縮に伴って、スピノーダル分解による相分離が生じ、相間距離が比較的規則的な相分離構造を形成できる。より具体的には、前記湿式スピノーダル分解は、通常、前記組成物（均一溶液）を支持体にコーティングし、塗布層から溶媒を蒸発させることにより行うことができる。前記支持体として剥離性支持体を用いる場合には、防眩層を支持体から剥離することにより防眩層単独で構成された防眩フィルムを得ることができ、支持体として透明な非剥離性支持体（透明基材層）を用いることにより、透明基材層と防眩層とで構成された積層構造の防眩フィルムを得ることができる。
【００３１】
（ポリマー成分）
ポリマー成分としては、通常、熱可塑性樹脂が使用される。熱可塑性樹脂としては、透明性が高く、スピノーダル分解により前述の表面凹凸形状を形成できれば特に限定されないが、例えば、スチレン系樹脂、（メタ）アクリル系重合体、有機酸ビニルエステル系重合体、ビニルエーテル系重合体、ハロゲン含有樹脂、ポリオレフィン（脂環式ポリオレフィンを含む）、ポリカーボネート、ポリエステル、ポリアミド、熱可塑性ポリウレタン、ポリスルホン系樹脂（ポリエーテルスルホン、ポリスルホンなど）、ポリフェニレンエーテル系樹脂（２，６−キシレノールの重合体など）、セルロース誘導体（セルロースエステル類、セルロースカーバメート類、セルロースエーテル類など）、シリコーン樹脂（ポリジメチルシロキサン、ポリメチルフェニルシロキサンなど）、ゴム又はエラストマー（ポリブタジエン、ポリイソプレンなどのジエン系ゴム、スチレン−ブタジエン共重合体、アクリロニトリル−ブタジエン共重合体、アクリルゴム、ウレタンゴム、シリコーンゴムなど）などが例示できる。これらの熱可塑性樹脂は、単独で又は二種以上組み合わせて使用できる。
【００３２】
これらのポリマー成分のうち、スチレン系樹脂、（メタ）アクリル系重合体、酢酸ビニル系重合体、ビニルエーテル系重合体、ハロゲン含有樹脂、脂環式ポリオレフィン、ポリカーボネート、ポリエステル、ポリアミド、セルロース誘導体、シリコーン系樹脂、ゴム又はエラストマーなどが汎用される。また、ポリマー成分としては、通常、非結晶性であり、かつ有機溶媒（特に複数のポリマー成分や硬化樹脂前駆体成分を溶解可能な共通溶媒）に可溶なポリマー成分が使用される。特に、成形性又は製膜性、透明性や耐候性の高いポリマー成分、例えば、スチレン系樹脂、（メタ）アクリル系重合体、脂環式ポリオレフィン、ポリエステル系樹脂、セルロース誘導体（セルロースエステル類など）などが好ましく、（メタ）アクリル系重合体、セルロースエステル類が特に好ましい。
【００３３】
（メタ）アクリル系重合体としては、（メタ）アクリル系単量体の単独又は共重合体、（メタ）アクリル系単量体と共重合性単量体との共重合体などが使用できる。（メタ）アクリル系単量体には、例えば、（メタ）アクリル酸；（メタ）アクリル酸メチル、（メタ）アクリル酸エチル、（メタ）アクリル酸ブチル、（メタ）アクリル酸ｔ−ブチル、（メタ）アクリル酸イソブチル、（メタ）アクリル酸ヘキシル、（メタ）アクリル酸オクチル、（メタ）アクリル酸２−エチルヘキシルなどの（メタ）アクリル酸Ｃ１−１０アルキル；（メタ）アクリル酸フェニルなどの（メタ）アクリル酸アリール；ヒドロキシエチル（メタ）アクリレート、ヒドロキシプロピル（メタ）アクリレートなどのヒドロキシアルキル（メタ）アクリレート；グリシジル（メタ）アクリレート；Ｎ，Ｎ−ジアルキルアミノアルキル（メタ）アクリレート；（メタ）アクリロニトリル；トリシクロデカンなどの脂環式炭化水素基を有する（メタ）アクリレートなどが例示できる。共重合性単量体には、スチレンなどのスチレン系単量体、ビニルエステル系単量体、無水マレイン酸、マレイン酸、フマル酸などが例示できる。これらの単量体は、単独で又は二種以上組み合わせて使用できる。
【００３４】
（メタ）アクリル系重合体としては、例えば、ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸エステル−スチレン共重合体（ＭＳ樹脂など）などが例示できる。これらのうち、ポリ（メタ）アクリル酸メチルなどのポリ（メタ）アクリル酸Ｃ１−６アルキル、特にメタクリル酸メチルを主成分（５０〜１００重量％、好ましくは７０〜１００重量％程度）とするメタクリル酸メチル系重合体が好ましい。
【００３５】
セルロースエステル類としては、例えば、脂肪族有機酸エステル（セルロースジアセテート、セルローストリアセテートなどのセルロースアセテート；セルロースプロピオネート、セルロースブチレート、セルロースアセテートプロピオネート、セルロースアセテートブチレートなどのＣ１−６脂肪族カルボン酸エステルなど）、芳香族有機酸エステル（セルロースフタレート、セルロースベンゾエートなどのＣ７−１２芳香族カルボン酸エステル）、無機酸エステル類（例えば、リン酸セルロース、硫酸セルロースなど）などが例示でき、酢酸・硝酸セルロースエステルなどの混合酸エステルであってもよい。これらのセルロースエステル類は、単独で又は二種以上組み合わせて使用できる。これらのうち、セルロースジアセテート、セルローストリアセテート、セルロースアセテートプロピオネート、セルロースアセテートブチレートなどのセルロースＣ２―４アシレートが好ましく、セルロースアセテートプロピオネートなどのセルロースアセテートＣ３−４アシレートが特に好ましい。
【００３６】
ポリマー成分［特に（メタ）アクリル系重合体］は、硬化反応に関与する官能基（又は硬化樹脂前駆体成分と反応可能な官能基）を有するポリマーであってもよい。前記ポリマーは、官能基を主鎖に有していてもよく、側鎖に有していてもよい。前記官能基は、共重合や共縮合などにより主鎖に導入されてもよいが、通常、側鎖に導入される。このような官能基としては、縮合性基や反応性基（例えば、ヒドロキシル基、酸無水物基、カルボキシル基、アミノ基又はイミノ基、エポキシ基、グリシジル基、イソシアネート基など）、重合性基（例えば、ビニル、プロペニル、イソプロペニル、ブテニル、アリルなどのＣ２−６アルケニル基、エチニル、プロピニル、ブチニルなどのＣ２−６アルキニル基、ビニリデンなどのＣ２−６アルケニリデン基、又はこれらの重合性基を有する基［（メタ）アクリロイル基など）など］などが例示できる。これらの官能基のうち、重合性基が好ましい。
【００３７】
重合性基を側鎖に導入する方法としては、例えば、反応性基や縮合性基などの官能基を有する熱可塑性樹脂と、前記官能基との反応性基を有する重合性化合物とを反応させる方法などが例示できる。
【００３８】
官能基を有する熱可塑性樹脂において、官能基としては、カルボキシル基又はその酸無水物基、ヒドロキシル基、アミノ基、エポキシ基などが例示できる。
【００３９】
官能基を有する熱可塑性樹脂がカルボキシル基又はその酸無水物基を有する熱可塑性樹脂である場合、前記官能基との反応性基を有する重合性化合物としては、例えば、エポキシ基やヒドロキシル基、アミノ基、イソシアネート基などを有する重合性化合物などが例示できる。これらのうち、エポキシ基を有する重合性化合物、例えば、エポキシシクロヘキセニル（メタ）アクリレートなどのエポキシシクロＣ５−８アルケニル（メタ）アクリレート、グリシジル（メタ）アクリレート、アリルグリシジルエーテルなどが汎用される。
【００４０】
代表的な例としては、カルボキシル基又はその酸無水物基を有する熱可塑性樹脂とエポキシ基含有化合物、特に（メタ）アクリル系重合体（（メタ）アクリル酸−（メタ）アクリル酸エステル共重合体など）とエポキシ基含有（メタ）アクリレート（エポキシシクロアルケニル（メタ）アクリレートやグリシジル（メタ）アクリレートなど）との組み合わせが例示できる。具体的には、（メタ）アクリル系重合体のカルボキシル基の一部に重合性不飽和基を導入したポリマー、例えば、（メタ）アクリル酸−（メタ）アクリル酸エステル共重合体のカルボキシル基の一部に、３，４−エポキシシクロヘキセニルメチルアクリレートのエポキシ基を反応させて、側鎖に重合性基（光重合性不飽和基）を導入した（メタ）アクリル系重合体（サイクロマーＰ、（株）ダイセル製）などが使用できる。
【００４１】
熱可塑性樹脂に対する硬化反応に関与する官能基（特に重合性基）の導入量は、熱可塑性樹脂１ｋｇに対して、０．００１〜１０モル、好ましくは０．０１〜５モル、さらに好ましくは０．０２〜３モル程度である。
【００４２】
これらのポリマー成分は、適宜組み合わせて使用できる。すなわち、ポリマー成分は、複数のポリマーで構成されていてもよい。複数のポリマーは、湿式スピノーダル分解により、相分離可能であってもよい。また、複数のポリマーは、互いに非相溶であってもよい。複数のポリマーを組み合わせる場合、第１のポリマーと第２のポリマーとの組み合わせは特に制限されないが、加工温度付近で互いに非相溶な複数のポリマー、例えば、互いに非相溶な２つのポリマーとして適当に組み合わせて使用できる。例えば、第１のポリマーが（メタ）アクリル系重合体（例えば、ポリメタクリル酸メチル、重合性基を有する（メタ）アクリル系重合体など）である場合、第２のポリマーは、セルロースエステル類（セルロースアセテートプロピオネートなどのセルロースアセテートＣ３−４アシレートなど）、ポリエステル（ウレタン変性ポリエステルなど）であってもよい。
【００４３】
さらに、硬化後の耐擦傷性の観点から、複数のポリマーのうち、少なくとも一つのポリマー、例えば、互いに非相溶なポリマーのうち一方のポリマー（第１のポリマーと第２のポリマーとを組み合わせる場合、少なくとも一方のポリマー）が硬化樹脂前駆体成分と反応可能な官能基（特に重合性基）を側鎖に有するポリマーであるのが好ましい。
【００４４】
第１のポリマーと第２のポリマーとの重量割合は、例えば、前者／後者＝１／９９〜９９．９／０．１、好ましくは５／９５〜９９．５／０．５程度の範囲から選択できる。特に、第１のポリマーが（メタ）アクリル系重合体であり、第２のポリマーがセルロースエステル類である場合、両ポリマーの重量割合は、精細度５０〜１５０ｐｐｉ程度の表示装置（特に中型スクリーン表示装置）では、５０／５０〜９９／１、好ましくは５５／４５〜９０／１０、さらに好ましくは６０／４０〜８０／２０（特に６５／３５〜７５／２５）程度であり、精細度が１５０ｐｐｉを超えて３００ｐｐｉ以下程度である表示装置（特に中型スクリーンの表示装置）では、前者／後者＝５０／５０〜９９．５／０．５、好ましくは７０／３０〜９９／１、さらに好ましくは９０／１０〜９８．５／１．５（特に９５／５〜９８／２）程度である。
【００４５】
なお、相分離構造を形成するためのポリマーとしては、前記非相溶な２つのポリマー以外にも、前記熱可塑性樹脂や他のポリマーが含まれていてもよい。
【００４６】
ポリマー成分のガラス転移温度は、例えば−１００℃〜２５０℃、好ましくは−５０℃〜２３０℃、さらに好ましくは０〜２００℃程度（例えば５０〜１８０℃程度）の範囲から選択できる。なお、表面硬度の観点から、ガラス転移温度は５０℃以上（例えば７０〜２００℃程度）、好ましくは１００℃以上（例えば１００〜１７０℃程度）であるのが有利である。ポリマー成分の重量平均分子量は、例えば１，０００，０００以下、好ましくは１，０００〜５００，０００程度の範囲から選択できる。
【００４７】
（硬化樹脂前駆体成分）
硬化樹脂前駆体成分としては、熱や活性エネルギー線（紫外線や電子線など）などにより反応する官能基を有する化合物であり、熱や活性エネルギー線などにより硬化又は架橋して樹脂（特に硬化又は架橋樹脂）を形成可能な種々の硬化性化合物を使用できる。前記硬化樹脂前駆体成分としては、例えば、熱硬化性化合物又は樹脂［エポキシ基、重合性基、イソシアネート基、アルコキシシリル基、シラノール基などを有する低分子量化合物（例えば、エポキシ系樹脂、不飽和ポリエステル系樹脂、ウレタン系樹脂、シリコーン系樹脂など）など］、活性光線（紫外線など）により硬化可能な光硬化性化合物（光硬化性モノマー、オリゴマーなどの紫外線硬化性化合物など）などが例示でき、光硬化性化合物は、ＥＢ（電子線）硬化性化合物などであってもよい。なお、光硬化性モノマー、オリゴマーや低分子量であってもよい光硬化性樹脂などの光硬化性化合物を、単に「光硬化性樹脂」という場合がある。
【００４８】
光硬化性化合物には、例えば、単量体、オリゴマー（又は樹脂、特に低分子量樹脂）が含まれる。
【００４９】
単量体としては、例えば、単官能性単量体［（メタ）アクリル酸エステルなどの（メタ）アクリル系単量体、ビニルピロリドンなどのビニル系単量体、イソボルニル（メタ）アクリレート、アダマンチル（メタ）アクリレートなどの橋架環式炭化水素基を有する（メタ）アクリレートなど］、少なくとも２つの重合性不飽和結合を有する多官能性単量体［エチレングリコールジ（メタ）アクリレート、プロピレングリコールジ（メタ）アクリレート、ブタンジオールジ（メタ）アクリレート、ネオペンチルグリコールジ（メタ）アクリレート、ヘキサンジオールジ（メタ）アクリレートなどのアルキレングリコールジ（メタ）アクリレート；ジエチレングリコールジ（メタ）アクリレート、ジプロピレングリコールジ（メタ）アクリレート、ポリオキシテトラメチレングリコールジ（メタ）アクリレートなどの（ポリ）オキシアルキレングリコールジ（メタ）アクリレート；トリシクロデカンジメタノールジ（メタ）アクリレート、アダマンタンジ（メタ）アクリレートなどの橋架環式炭化水素基を有するジ（メタ）アクリレート；グリセリントリ（メタ）アクリレート、トリメチロールプロパントリ（メタ）アクリレート、トリメチロールエタントリ（メタ）アクリレート、ペンタエリスリトールトリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどの３〜６程度の重合性不飽和結合を有する多官能性単量体など］などが例示できる。
【００５０】
オリゴマー又は樹脂としては、ビスフェノールＡ−アルキレンオキサイド付加体の（メタ）アクリレート、エポキシ（メタ）アクリレート［ビスフェノールＡ型エポキシ（メタ）アクリレート、ノボラック型エポキシ（メタ）アクリレートなど］、ポリエステル（メタ）アクリレート［例えば、脂肪族ポリエステル型（メタ）アクリレート、芳香族ポリエステル型（メタ）アクリレートなど］、（ポリ）ウレタン（メタ）アクリレート［ポリエステル型ウレタン（メタ）アクリレート、ポリエーテル型ウレタン（メタ）アクリレートなど］、シリコーン（メタ）アクリレートなどが例示できる。
【００５１】
これらの光硬化性化合物は単独で又は二種以上組み合わせて使用できる。これらのうち、短時間で硬化できる光硬化性化合物、例えば、紫外線硬化性化合物（モノマー、オリゴマーや低分子量であってもよい樹脂など）、ＥＢ硬化性化合物が好ましい。特に、実用的に有利な樹脂前駆体は、紫外線硬化性樹脂である。さらに、耐擦傷性などの耐性を向上させるため、光硬化性樹脂は、分子中に２以上（好ましくは２〜６、さらに好ましくは２〜４程度）の重合性不飽和結合を有する化合物であるのが好ましい。
【００５２】
硬化樹脂前駆体成分の重量平均分子量は、特に限定されないが、ゲルパーミエーションクロマトグラフィ（ＧＰＣ）において、ポリスチレン換算で、ポリマーとの相溶性を考慮して５０００以下、好ましくは２０００以下、さらに好ましくは１０００以下程度である。
【００５３】
硬化樹脂前駆体成分は、その種類に応じて、透明性及び防眩性を向上させるために、フィラー及び／又はフッ素原子を含有していてもよい。
【００５４】
フィラーとしては、例えば、シリカ粒子、チタニア粒子、ジルコニア粒子、アルミナ粒子などの無機粒子、架橋（メタ）アクリル系重合体粒子、架橋スチレン系樹脂粒子などの有機粒子を含んでいてもよい。これらのフィラーは、単独で又は二種以上組み合わせて使用できる。
【００５５】
これらのフィラーのうち、光学特性に優れ、スピノーダル分解により、透明性及び防眩性を両立できる凹凸形状を形成し易い点から、ナノメータサイズのシリカ粒子（シリカナノ粒子）が好ましい。シリカナノ粒子は、防眩フィルムの黄色度を抑制できる点から、中実のシリカナノ粒子が好ましい。また、シリカナノ粒子の平均粒径は、例えば１〜８００ｎｍ、好ましくは３〜５００ｎｍ、さらに好ましくは５〜３００ｎｍ程度である。
【００５６】
フィラー（特にシリカナノ粒子）の割合は、硬化樹脂前駆体成分全体に対して１０〜９０重量％程度であってもよく、例えば１０〜８０重量％、好ましくは１５〜７０重量％、さらに好ましくは２０〜５０重量％程度である。
【００５７】
フッ素原子を含有する前駆体成分（フッ素含有硬化性化合物又は重合性基を有するフッ素系化合物）としては、前記単量体及びオリゴマーのフッ化物、例えば、フッ化アルキル（メタ）アクリレート［例えば、パーフルオロオクチルエチル（メタ）アクリレートやトリフルオロエチル（メタ）アクリレートなど］、フッ化（ポリ）オキシアルキレングリコールジ（メタ）アクリレート［例えば、フルオロエチレングリコールジ（メタ）アクリレート、フルオロポリエチレングリコールジ（メタ）アクリレート、フルオロプロピレングリコールジ（メタ）アクリレートなど］、フッ素含有エポキシ樹脂、フッ素含有ウレタン系樹脂などが挙げられる。これらのうち、（メタ）アクリロイル基を有するフルオロポリエーテル化合物が好ましい。フッ素含有硬化性化合物は、市販のフッ素系重合性レベリング剤であってもよい。
【００５８】
硬化樹脂前駆体成分は、その種類に応じて、さらに硬化剤を含んでいてもよい。例えば、熱硬化性樹脂では、アミン類、多価カルボン酸類などの硬化剤を含んでいてもよく、光硬化性樹脂では光重合開始剤を含んでいてもよい。光重合開始剤としては、慣用の成分、例えば、アセトフェノン類又はプロピオフェノン類、ベンジル類、ベンゾイン類、ベンゾフェノン類、チオキサントン類、アシルホスフィンオキシド類などが例示できる。光重合開始剤などの硬化剤の割合は、硬化樹脂前駆体成分全体に対して０．１〜２０重量％、好ましくは０．５〜１０重量％、さらに好ましくは１〜８重量％程度である。
【００５９】
硬化樹脂前駆体成分は、さらに硬化促進剤を含んでいてもよい。例えば、光硬化性樹脂は、光硬化促進剤、例えば、第三級アミン類（ジアルキルアミノ安息香酸エステルなど）、ホスフィン系光重合促進剤などを含んでいてもよい。
【００６０】
これらの硬化樹脂前駆体成分のうち、多官能性（メタ）アクリレート（例えば、ジペンタエリスリトールヘキサ（メタ）アクリレートなどの２〜８程度の重合性基を有する（メタ）アクリレートなど）、エポキシ（メタ）アクリレート、ポリエステル（メタ）アクリレート、ウレタン（メタ）アクリレート、シリコーン（メタ）アクリレートなどが好ましい。さらに、硬化樹脂前駆体成分は、シリカナノ粒子及び／又はフッ素原子を含むのが好ましく、シリカナノ粒子含有光硬化性化合物［特に、シリカナノ粒子を含む多官能性（メタ）アクリレート、シリカナノ粒子を含むウレタン（メタ）アクリレート、シリカナノ粒子を含むシリコーン（メタ）アクリレート］及びフッ素含有硬化性化合物を含むのが特に好ましい。
【００６１】
硬化樹脂前駆体成分の好ましい組み合わせは、例えば、シリカナノ粒子含有光硬化性化合物とシリコーン（メタ）アクリレートとの組み合わせ、ウレタン（メタ）アクリレートと３〜６官能（メタ）アクリレートとシリコーン（メタ）アクリレートとフッ素含有硬化性化合物との組み合わせ、シリカナノ粒子含有光硬化性化合物とフッ素含有硬化性化合物との組み合わせであり、特に好ましい組み合わせは、精細度５０〜１５０ｐｐｉ程度の表示装置（特に中型スクリーン表示装置）では、シリカナノ粒子含有光硬化性化合物とフッ素含有硬化性化合物との組み合わせであり、精細度が１５０ｐｐｉを超えて３００ｐｐｉ以下程度である表示装置（特に中型スクリーンの表示装置）では、ウレタン（メタ）アクリレートとシリコーン（メタ）アクリレートとの組み合わせである。
【００６２】
本発明では、視認性と透明性と防眩性とを両立できる凹凸形状を形成し易い点から、シリカナノ粒子が硬化樹脂前駆体成分全体に対して前記割合となるように、硬化樹脂前駆体成分中に、シリカナノ粒子含有硬化樹脂前駆体成分を含むのが好ましい。また、フッ素含有硬化性化合物の割合は、硬化樹脂前駆体成分全体に対して例えば０．００１〜１重量％（例えば０．０１〜０．５重量％）、好ましくは０．０２〜０．３重量％（例えば０．０３〜０．２重量％）、さらに好ましくは０．０５〜０．１重量％程度である。
【００６３】
ウレタン（メタ）アクリレートとシリコーン（メタ）アクリレートとを組み合わせる場合、シリコーン（メタ）アクリレートの割合は、ウレタン（メタ）アクリレート１００重量部に対して、例えば０．１〜１０重量部、好ましくは０．３〜５重量部、さらに好ましくは０．５〜３重量部（特に１〜２重量部）程度である。
【００６４】
（ポリマー成分と硬化樹脂前駆体成分との組み合わせ）
本発明では、前記ポリマー成分及び前記硬化樹脂前駆体成分のうち、少なくとも２つの成分が、加工温度付近で互いに相分離する組み合わせで使用される。相分離する組み合わせとしては、例えば、（ａ）複数のポリマー成分同士が互いに非相溶で相分離する組み合わせ、（ｂ）ポリマー成分と硬化樹脂前駆体成分とが非相溶で相分離する組み合わせ、（ｃ）複数の硬化樹脂前駆体成分同士が互いに非相溶で相分離する組み合わせなどが挙げられる。これらの組み合わせのうち、通常、（ａ）複数のポリマー成分同士の組み合わせや、（ｂ）ポリマー成分と硬化樹脂前駆体成分との組み合わせであり、特に（ａ）複数のポリマー成分同士の組み合わせが好ましい。相分離させる両者の相溶性が高い場合、溶媒を蒸発させるための乾燥過程で両者が有効に相分離せず、防眩層としての機能が低下する。
【００６５】
なお、ポリマー成分と硬化樹脂前駆体成分とは、通常、互いに非相溶である。ポリマー成分と硬化樹脂前駆体成分とが非相溶で相分離する場合に、ポリマー成分として複数のポリマー成分を用いてもよい。複数のポリマー成分を用いる場合、少なくとも１つのポリマー成分が硬化樹脂前駆体成分に対して非相溶であればよく、他のポリマー成分は前記硬化樹脂前駆体成分と相溶してもよい。また、互いに非相溶な２つのポリマー成分と硬化樹脂前駆体成分（特に、複数の硬化性官能基を有するモノマー又はオリゴマー）との組み合わせであってもよい。
【００６６】
ポリマー成分を互いに非相溶な複数のポリマー成分で構成して相分離する場合、硬化樹脂前駆体成分は、非相溶な複数のポリマーのうち、少なくとも１つのポリマー成分と加工温度付近で互いに相溶する組合せで使用される。すなわち、互いに非相溶な複数のポリマー成分を、例えば、第１のポリマーと第２のポリマーとで構成する場合、硬化樹脂前駆体成分は、第１のポリマー又は第２のポリマーのいずれかと相溶すればよく、両方のポリマー成分と相溶してもよいが、好ましくは一方のポリマー成分のみと相溶する方がよい。両方のポリマー成分に相溶する場合、第１のポリマー及び硬化樹脂前駆体成分を主成分とした混合物と、第２のポリマー及び硬化樹脂前駆体成分を主成分とした混合物との少なくとも二相に相分離する。
【００６７】
選択した複数のポリマー成分の相溶性が高い場合、溶媒を蒸発させるための乾燥過程でポリマー成分同士が有効に相分離せず、防眩層としての機能が低下する。複数のポリマー成分の相分離性は、双方の成分に対する良溶媒を用いて均一溶液を調製し、溶媒を徐々に蒸発させる過程で、残存固形分が白濁するか否かを目視にて確認することにより簡便に判定できる。
【００６８】
さらに、通常、ポリマー成分と、硬化樹脂前駆体成分の硬化により生成した硬化又は架橋樹脂とは互いに屈折率が異なる。また、複数のポリマー成分（第１のポリマーと第２のポリマー）の屈折率も互いに異なる。ポリマー成分と硬化又は架橋樹脂との屈折率の差、複数のポリマー成分（第１のポリマーと第２のポリマーと）の屈折率の差は、例えば０．００１〜０．２、好ましくは０．０５〜０．１５程度であってもよい。
【００６９】
ポリマー成分と硬化樹脂前駆体成分との割合（重量比）は、特に制限されず、例えば、前者／後者＝１／９９〜９５／５程度の範囲から選択でき、例えば２／９８〜９０／１０、好ましくは３／９７〜８０／２０、さらに好ましくは５／９５〜７０／３０程度である。また、精細度５０〜１５０ｐｐｉ程度の表示装置（特に中型スクリーン表示装置）では、ポリマー成分と硬化樹脂前駆体成分との割合（重量比）は、例えば２／９８〜３０／７０、好ましくは３／９７〜２０／８０、さらに好ましくは５／９５〜１５／８５程度であってもよい。さらに、精細度が１５０ｐｐｉを超えて３００ｐｐｉ以下程度である表示装置（特に中型スクリーンの表示装置）では、例えば１０／９０〜６０／４０、好ましくは２０／８０〜５０／５０、さらに好ましくは３５／６５〜４５／５５程度であってもよい。
【００７０】
（他の成分）
樹脂成分を含む組成物で形成された防眩層は、種々の添加剤、例えば、レベリング剤、安定剤（酸化防止剤、紫外線吸収剤など）、界面活性剤、水溶性高分子、充填剤、架橋剤、カップリング剤、着色剤、難燃剤、滑剤、ワックス、防腐剤、粘度調整剤、増粘剤、消泡剤などを含んでいてもよい。添加剤の割合は、例えば、防眩層全体に対して、例えば０．０１〜１０重量％（特に０．１〜５重量％）程度である。
【００７１】
（防眩層の厚み）
防眩層の厚み（平均厚み）は、例えば０．３〜２０μｍ程度、好ましくは１〜１５μｍ（例えば１〜１０μｍ）程度であってもよく、通常３〜１２μｍ（特に４〜１０μｍ）程度である。なお、防眩層単独で防眩フィルムを構成する場合、防眩層の厚み（平均厚み）は、例えば１〜１００μｍ、好ましくは３〜５０μｍ程度である。
【００７２】
（透明基材層）
透明基材層は、透明材料で形成されていればよく、用途に応じて選択でき、ガラスなどの無機材料であってもよいが、強度や成形性などの点から、有機材料が汎用される。有機材料としては、例えば、セルロース誘導体、ポリエステル、ポリアミド、ポリイミド、ポリカーボネート、（メタ）アクリル系重合体などが例示できる。これらのうち、セルロースエステル、ポリエステルなどが汎用される。
【００７３】
セルロースエステルとしては、セルローストリアセテート（ＴＡＣ）などのセルロースアセテート、セルロースアセテートプロピオネート、セルロースアセテートブチレートなどのセルロースアセテートＣ３−４アシレートなどが挙げられる。ポリエステルとしては、ポリエチレンテレフタレート（ＰＥＴ）、ポリエチレンナフタレート（ＰＥＮ）などのポリアルキレンアリレートなどが挙げられる。
【００７４】
これらのうち、機械的特性や透明性などのバランスに優れる点から、ＰＥＴやＰＥＮなどのポリＣ２−４アルキレンアリレートが好ましい。
【００７５】
透明基材層も、防眩層の項で例示された慣用の添加剤を含んでいてもよい。添加剤の割合も防眩層と同様である。
【００７６】
透明基材層は、１軸又は２軸延伸フィルムであってもよいが、低複屈折率であり、光学的に等方性に優れる点から、未延伸フィルムであってもよい。
【００７７】
透明基材層は、表面処理（例えば、コロナ放電処理、火炎処理、プラズマ処理、オゾンや紫外線照射処理など）されていてもよく、易接着層を有していてもよい。
【００７８】
透明基材層の厚み（平均厚み）は、例えば５〜２０００μｍ、好ましくは１５〜１０００μｍ、さらに好ましくは２０〜５００μｍ程度である。
【００７９】
（粘着層）
本発明の防眩フィルムは、スマートフォンやＰＣ（タブレットＰＣなど）などを含む各種のタッチパネル表示装置の保護フィルムとしても使用可能である。これらの用途では、前記透明基材層の他方の面の少なくとも一部に粘着層が形成されていてもよい。
【００８０】
粘着層は、慣用の透明な粘着剤で形成されている。粘着剤としては、例えば、ゴム系粘着剤、アクリル系粘着剤、オレフィン系粘着剤（変性オレフィン系粘着剤など）、シリコーン系粘着剤などが例示できる。これらの粘着剤のうち、光学特性やリワーク性などの点から、シリコーン系粘着剤が好ましい。
【００８１】
粘着層の厚みは、例えば１〜１５０μｍ、好ましくは１０〜１００μｍ、さらに好ましくは２０〜７０μｍ（特に２５〜５０μｍ）程度である。
【００８２】
粘着層は、他方の面全体に形成してもよく、他方の面の一部（例えば、周縁部）に形成してもいずれでもよい。さらに、周縁部に形成する場合、貼着のための取り扱い性を向上させる目的で、防眩フィルムの周縁部に枠状部材（例えば、周縁部にプラスチックシートを積層）を形成し、枠状部材に粘着層を形成してもよい。
【００８３】
［防眩フィルムの製造方法］
本発明の防眩フィルムの製造方法は、特に限定されず、材料の種類に応じて、適宜選択でき、物理的な加工や型を用いた転写などにより形成してもよいが、生産性などの点から、硬化性組成物を熱又は活性エネルギー線で硬化させる硬化工程を経て製造する方法が好ましい。特に、湿式スピノーダル分解により形成された凹凸形状を有する防眩層を含む防眩フィルムでは、支持体（特に、透明基材層）の上に、１種以上のポリマー成分及び１種以上の硬化樹脂前駆体成分を含む硬化性組成物を塗布して乾燥することにより、ポリマー成分及び硬化樹脂前駆体成分から選択される少なくとも２つの成分を、湿式スピノーダル分解により相分離させる相分離工程、相分離した硬化性組成物を熱又は活性エネルギー線で硬化させる硬化工程を経る方法であってもよい。
【００８４】
相分離工程において、硬化性組成物は溶媒を含んでいてもよい。溶媒は、前記ポリマー成分及び硬化樹脂前駆体成分の種類及び溶解性に応じて選択でき、少なくとも固形分（例えば、複数のポリマー成分及び硬化樹脂前駆体成分、反応開始剤、その他添加剤）を均一に溶解できる溶媒であればよい。特に、ポリマー成分及び硬化樹脂前駆体に対する溶媒の溶解性を調整することにより、相分離構造を制御してもよい。そのような溶媒としては、例えば、ケトン類（アセトン、メチルエチルケトン、メチルイソブチルケトン、シクロヘキサノンなど）、エーテル類（ジオキサン、テトラヒドロフランなど）、脂肪族炭化水素類（ヘキサンなど）、脂環式炭化水素類（シクロヘキサンなど）、芳香族炭化水素類（トルエン、キシレンなど）、ハロゲン化炭素類（ジクロロメタン、ジクロロエタンなど）、エステル類（酢酸メチル、酢酸エチル、酢酸ブチルなど）、水、アルコール類（エタノール、イソプロパノール、ブタノール、シクロヘキサノールなど）、セロソルブ類［メチルセロソルブ、エチルセロソルブ、プロピレングリコールモノメチルエーテル（１−メトキシ−２−プロパノール）など］、セロソルブアセテート類、スルホキシド類（ジメチルスルホキシドなど）、アミド類（ジメチルホルムアミド、ジメチルアセトアミドなど）などが例示できる。また、溶媒は混合溶媒であってもよい。
【００８５】
これらの溶媒のうち、メチルエチルケトンなどのケトン類を含むのが好ましく、ケトン類と、アルコール類（ブタノールなど）及び／又はセロソルブ類（１−メトキシ−２−プロパノールなど）との混合溶媒が特に好ましい。混合溶媒において、アルコール類及び／又はセロソルブ類（両者を混合する場合、総量）の割合は、精細度５０〜１５０ｐｐｉ程度の表示装置（特に中型スクリーン表示装置）では、ケトン類１００重量部に対して、例えば１０〜１５０重量部、好ましくは１５〜１００重量部、さらに好ましくは２０〜８０重量部（特に２５〜５０重量部）程度であり、精細度が１５０ｐｐｉを超えて３００ｐｐｉ以下程度である表示装置（特に中型スクリーンの表示装置）では、ケトン類１００重量部に対して、例えば３〜１００重量部、好ましくは５〜５０重量部、さらに好ましくは１０〜３０重量部（特に１５〜２０重量部）程度である。アルコール類とセロソルブ類とを組み合わせる場合、セロソルブ類の割合は、アルコール類１００重量部に対して、例えば１０〜１２０重量部、好ましくは３０〜１００重量部、さらに好ましくは５０〜８０重量部（特に６０〜７０重量部）程度である。本発明では、溶媒を適宜組み合わせることにより、スピノーダル分解による相分離を調整し、視認性と透明性と防眩性とを両立できる凹凸形状を形成できる。
【００８６】
混合液中の溶質（ポリマー成分、硬化樹脂前駆体成分、反応開始剤、その他添加剤）の濃度は、相分離が生じる範囲及び流延性やコーティング性などを損なわない範囲で選択でき、例えば１〜８０重量％、好ましくは１０〜７０重量％、さらに好ましくは２０〜６０重量％（特に３０〜５５重量％）程度である。
【００８７】
塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、塗布液は複数回に亘り塗布してもよい。
【００８８】
前記混合液を流延又は塗布した後、溶媒の沸点よりも低い温度（例えば、溶媒の沸点よりも１〜１２０℃、好ましくは５〜５０℃、特に１０〜５０℃程度低い温度）で溶媒を蒸発させることにより、スピノーダル分解による相分離を誘起することができる。溶媒の蒸発は、通常、乾燥、例えば、溶媒の沸点に応じて、３０〜２００℃（例えば３０〜１００℃）、好ましくは４０〜１２０℃、さらに好ましくは５０〜９０℃（特に６０〜８５℃）程度の温度で乾燥させることにより行うことができる。
【００８９】
このような溶媒の蒸発を伴うスピノーダル分解により、相分離構造のドメイン間の平均距離に規則性又は周期性を付与できる。
【００９０】
硬化工程では、乾燥した硬化性組成物を、活性光線（紫外線、電子線など）や熱などにより最終的に硬化させることにより、スピノーダル分解により形成された相分離構造を直ちに固定化できる。硬化性組成物の硬化は、硬化樹脂前駆体成分の種類に応じて、加熱、光照射などを組み合わせてもよい。
【００９１】
加熱温度は、適当な範囲、例えば、５０〜１５０℃程度から選択できる。光照射は、光硬化成分などの種類に応じて選択でき、通常、紫外線、電子線などが利用できる。汎用的な光源は、通常、紫外線照射装置である。
【００９２】
光源としては、例えば、紫外線の場合は、Ｄｅｅｐ  ＵＶ  ランプ、低圧水銀ランプ、高圧水銀ランプ、超高圧水銀ランプ、ハロゲンランプ、レーザー光源（ヘリウム−カドミウムレーザー、エキシマレーザーなどの光源）などを利用できる。照射光量（照射エネルギー）は、塗膜の厚みにより異なり、例えば１０〜１００００ｍＪ／ｃｍ２、好ましくは２０〜５０００ｍＪ／ｃｍ２、さらに好ましくは３０〜３０００ｍＪ／ｃｍ２程度である。光照射は、必要であれば、不活性ガス雰囲気中で行ってもよい。
【００９３】
［表示装置］
本発明の防眩フィルムは、透明性と防眩性とを両立できるため、種々の表示装置、例えば、液晶表示装置（ＬＣＤ）、有機ＥＬディスプレイ、タッチパネル付き表示装置などの光学部材として利用でき、特に、ＬＣＤ、有機ＥＬディスプレイの光学要素として有用である。
【００９４】
詳しくは、ＬＣＤは、外部光を利用して、液晶セルを備えた表示ユニットを照明する反射型ＬＣＤであってもよく、表示ユニットを照明するためのバックライトユニットを備えた透過型ＬＣＤであってもよい。反射型ＬＣＤでは、外部からの入射光を、表示ユニットを介して取り込み、表示ユニットを透過した透過光を反射部材により反射して表示ユニットを照明できる。反射型ＬＣＤでは、前記反射部材から前方の光路内に本発明の防眩フィルムを配設できる。例えば、本発明の防眩フィルムは、表示ユニットの前面（視認側前面）などに配設又は積層でき、特に、コリメートバックライトユニットを有し、かつプリズムシートを有さないＬＣＤの前面に配設してもよい。
【００９５】
透過型ＬＣＤにおいて、バックライトユニットは、光源（冷陰極管などの管状光源、発光ダイオードなどの点状光源など）からの光を一方の側部から入射させて前面の出射面から出射させるための導光板（例えば、断面楔形状の導光板）を備えていてもよい。また、必要であれば、導光板の前面側にはプリズムシートを配設してもよい。なお、通常、導光板の裏面には、光源からの光を出射面側へ反射させるための反射部材が配設されている。このような透過型ＬＣＤでは、通常、光源から前方の光路内に、本発明の防眩フィルムを配設できる。例えば、導光板と表示ユニットとの間、表示ユニットの前面などに前記、本発明の防眩フィルムを配設又は積層できる。
【００９６】
有機ＥＬディスプレイにおいて、有機ＥＬは、各画素ごとに発光素子が構成されており、この発光素子は、通常、金属などの陰電極／電子注入層／電子輸送層／発光層／正孔輸送層／正孔注入層／ＩＴＯなどの陽電極／ガラス板や透明のプラスチック板などの基板で形成されている。有機ＥＬディスプレイにおいても、本発明の防眩フィルムを光路内に配設してもよい。
【００９７】
また、本発明の防眩フィルムは、ＬＣＤ（タッチパネル付き表示装置でもあるＬＣＤを含む）や有機ＥＬディスプレイ（タッチパネル付き表示装置でもある有機ＥＬディスプレイを含む）の傷つきを防止するためのアフターマーケット向け保護又はプロテクトフィルムとして利用してもよい。
【実施例】
【００９８】
以下に、実施例に基づいて本発明をより詳細に説明するが、本発明はこれらの実施例によって限定されるものではない。実施例及び比較例で用いた原料は以下の通りであり、得られた防眩フィルムを以下の方法で評価した。
【００９９】
［原料］
重合性基を有するアクリル系重合体：ダイセル・オルネクス（株）製「サイクロマーＰ」
セルロースアセテートプロピオネート：イーストマン社製「ＣＡＰ−４８２−２０」、アセチル化度＝２．５％、プロピオニル度＝４６％、ポリスチレン換算の数平均分子量７５０００
シリコーンアクリレート：ダイセル・オルネクス（株）製「ＥＢ１３６０」
シリコーン系ハードコート材：（株）トクシキ製「ＡＳ−２０１Ｓ」
ウレタンアクリレートＡ：新中村化学工業（株）製「Ｕ−１５ＨＡ」
ウレタンアクリレートＢ：（株）トクシキ製「ＡＵ−２３０」
ジペンタエリスリトールヘキサアクリレート：ダイセル・オルネクス（株）製「ＤＰＨＡ」
ナノシリカ含有アクリル系紫外線硬化性化合物：モメンティブ・パフォーマンス・マテリアルズ・ジャパン合同会社製「ＸＲ３９−Ｃ６２１０」
シリカ含有アクリル系紫外線硬化性化合物：アイカ工業（株）製「Ｚ−７５７−４ＲＬ」
アクリル系紫外線硬化性化合物：アイカ工業（株）製「Ｚ−７５７−４ＣＬ」
ＰＭＭＡビーズＡ：積水化学工業（株）製「ＳＳＸ−１１５」
ＰＭＭＡビーズＢ：積水化学工業（株）製「ＳＳＸ−１０５」
架橋スチレンビーズ：綜研化学（株）製「ＳＸ−１３０Ｈ」
重合性基を有するフッ素系化合物：（株）ネオス製「フタージェント６０２Ａ」
光開始剤Ａ：ＢＡＳＦジャパン（株）製「イルガキュア１８４」
光開始剤Ｂ：ＢＡＳＦジャパン（株）製「イルガキュア９０７」
ポリエチレンテレフタレート（ＰＥＴ）フィルム：三菱樹脂（株）製「ダイアホイル」
セルローストリアセテート（ＴＡＣ）フィルム：富士フイルム（株）製「フジタックＴＧ６０ＵＬ」。
【０１００】
［コート層の厚み］
光学式膜厚計を用いて、任意の１０箇所を測定し、平均値を算出した。
【０１０１】
［視感度反射率］
ＪＩＳ  Ｚ８７０１に準拠して分光光度計（（株）日立ハイテクサイエンス製「Ｕ−３９００Ｈ」）を用いて測定した。防眩フィルムは市販の黒色アクリル板に光学糊で貼り付け、裏面からの反射ができるだけ影響しないようにしたものを測定対象とした。
【０１０２】
［ヘイズ］
ヘイズメーター（日本電色（株）製「ＮＤＨ−５０００Ｗ」）を用いて、ＪＩＳ  Ｋ７１３６に準拠し、凹凸構造を有する表面が受光器側となるように配置して測定した。
【０１０３】
［６０度グロス］
ＪＩＳ  Ｋ７１０５に準拠してグロスメーター（（株）掘場製作所製「ＩＧ−３２０」）を用いて角度６０度で測定した。
【０１０４】
［透過像鮮明度］
防眩フィルムの写像鮮明度を、写像測定器（スガ試験機（株）製、商品名「ＩＣＭ−１Ｔ」）を用いて、ＪＩＳ  Ｋ７１０５に基づき、フィルムの製膜方向と光学櫛の櫛歯の方向とが平行になるようにフィルムを設置して測定を行った。写像測定器の光学櫛のうち、０．５ｍｍ幅の光学櫛における写像鮮明度を測定した。
【０１０５】
［防眩性］
作製した防眩フィルムを市販の黒色アクリル板に光学糊で貼り付け、三波長蛍光灯を照らしたときの反射像を目視で確認し、以下の基準で評価した。
【０１０６】
◎：蛍光灯の形状が全く見えない
○：蛍光灯の輪郭がぼける
△：蛍光灯の輪郭が認識できる。
【０１０７】
［反射感］
作製した防眩フィルムを市販の黒色アクリル板に光学糊で貼り付け、三波長蛍光灯を照らしたときの反射光の強さを目視で確認し、以下の基準で評価した。
【０１０８】
◎：反射光が殆ど見えない
○：反射光が少し見える
△：反射光がはっきり見える。
【０１０９】
［文字ボケ１］
作製した防眩フィルムを液晶モニター（ヒューレットパッカード社製「Ｐ２２２ｖａ」、精細度１０２ｐｐｉ）に光学糊で貼り付け、文字を表示したときのボケを目視確認し、以下の基準で評価した。
【０１１０】
◎：防眩フィルムを貼り合わせる前と変化がほとんど見られない
○：わずかに文字がボケているが、読み取りに影響はない
△：明らかに文字がボケており、難しいが読み取りは可能である
×：ボケが強く文字をほとんど認識できない。
【０１１１】
［文字ボケ２］
作製した防眩フィルムを液晶タブレット（アップル社製「ｉＰａｄ  Ａｉｒ（登録商標）」、精細度２６４ｐｐｉ）に光学糊で貼り付け、文字を表示したときのボケを目視確認し、以下の基準で評価した。
【０１１２】
◎：防眩フィルムを貼り合わせる前と変化がほとんど見られない
○：わずかに文字がボケているが、読み取りに影響はない
△：明らかに文字がボケており、難しいが読み取りは可能である
×：ボケが強く文字をほとんど認識できない。
【０１１３】
［実施例１］
重合性基を有するアクリル系重合体１５．０重量部、セルロースアセテートプロピオネート３重量部、ナノシリカ含有アクリル系紫外線硬化性化合物の１５０重量部、シリコーンアクリレート１重量部を、メチルエチルケトン１０１重量部と１−ブタノール２４重量部との混合溶媒に溶解し、溶液を調製した。
【０１１４】
この溶液を、ワイヤーバー（＃２０）を用いて、ＰＥＴフィルム上に流延した後、８０℃のオーブン内に１分間放置し、溶媒を蒸発させて厚さ約９μｍのコート層を形成した。
【０１１５】
そして、高圧水銀ランプにより紫外線をコート層に約５秒間照射して（積算光量約１００ｍＪ／ｃｍ２照射、以下同様）コート層を紫外線硬化処理し、防眩フィルムを得た。
【０１１６】
［実施例２］
重合性基を有するアクリル系重合体１２．５重量部、セルロースアセテートプロピオネート４重量部、ナノシリカ含有アクリル系紫外線硬化性化合物１５０重量部、シリコーンアクリレート１重量部を、メチルエチルケトン８１重量部と１−ブタノール２４重量部と１−メトキシ−２−プロパノール１３重量部との混合溶媒に溶解し、溶液を調製した。
【０１１７】
この溶液を、ワイヤーバー（＃２０）を用いて、ＰＥＴフィルム上に流延した後、８０℃のオーブン内に１分間放置し、溶媒を蒸発させて厚さ約９μｍのコート層を形成した。
【０１１８】
そして、高圧水銀ランプにより紫外線をコート層に約５秒間照射してコート層を紫外線硬化処理し、防眩フィルムを得た。
【０１１９】
［実施例３］
重合性基を有するアクリル系重合体４５．６重量部、セルロースアセテートプロピオネート２．３重量部、ウレタンアクリレートＡ７０．７重量部、ジペンタエリスリトールヘキサアクリレート８．２重量部、シリコーンアクリレート０．６重量部、重合性基を有するフッ素系化合物０．１重量部、光開始剤Ａ１重量部、光開始剤Ｂ１重量部を、メチルエチルケトン１２８重量部と１−ブタノール２５重量部とシクロヘキサノン３１重量部との混合溶媒に溶解し、溶液を調製した。
【０１２０】
この溶液を、ワイヤーバー（＃１６）を用いて、ＴＡＣフィルム上に流延した後、８０℃のオーブン内に１分間放置し、溶媒を蒸発させて厚さ約７μｍのコート層を形成した。
【０１２１】
そして、高圧水銀ランプにより紫外線をコート層に約５秒間照射してコート層を紫外線硬化処理し、防眩フィルムを得た。
【０１２２】
［実施例４］
重合性基を有するアクリル系重合体１２．５重量部、セルロースアセテートプロピオネート５．５重量部、ナノシリカ含有アクリル系紫外線硬化性化合物１４９重量部、重合性基を有するフッ素系化合物０．１重量部を、メチルエチルケトン１２９重量部と１−ブタノール２４重量部と１−メトキシ−２−プロパノール１３重量部との混合溶媒に溶解し、溶液を調製した。
【０１２３】
この溶液を、ワイヤーバー（＃１４）を用いて、ＰＥＴフィルム上に流延した後、８０℃のオーブン内に１分間放置し、溶媒を蒸発させて厚さ約５μｍのコート層を形成した。
【０１２４】
そして、高圧水銀ランプにより紫外線をコート層に約５秒間照射してコート層を紫外線硬化処理し、防眩フィルムを得た。
【０１２５】
［実施例５］
重合性基を有するアクリル系重合体７．５重量部、セルロースアセテートプロピオネート５．５重量部、ナノシリカ含有アクリル系紫外線硬化性化合物１５１．５重量部、シリコーンアクリレート１重量部、メチルエチルケトン１２９重量部と１−ブタノール２４重量部と１−メトキシ−２−プロパノール１５重量部との混合溶媒に溶解し、溶液を調製した。
【０１２６】
この溶液を、ワイヤーバー（＃１４）を用いて、ＰＥＴフィルム上に流延した後、８０℃のオーブン内に１分間放置し、溶媒を蒸発させて厚さ約５μｍのコート層を形成した。
【０１２７】
そして、高圧水銀ランプにより紫外線をコート層に約５秒間照射してコート層を紫外線硬化処理し、防眩フィルムを得た。
【０１２８】
［実施例６］
重合性基を有するアクリル系重合体５０重量部、セルロースアセテートプロピオネート４重量部、ウレタンアクリレートＡ７６重量部、シリコーンアクリレート１重量部、光開始剤Ａ１重量部、光開始剤Ｂ１重量部を、メチルエチルケトン１７６重量部と１−ブタノール２８重量部との混合溶媒に溶解し、溶液を調製した。
【０１２９】
この溶液を、ワイヤーバー（＃１８）を用いて、ＴＡＣフィルム上に流延した後、８０℃のオーブン内に１分間放置し、溶媒を蒸発させて厚さ約８μｍのコート層を形成した。
【０１３０】
そして、高圧水銀ランプにより紫外線をコート層に約５秒間照射してコート層を紫外線硬化処理し、防眩フィルムを得た。
【０１３１】
［実施例７］
セルロースアセテートプロピオネート３重量部、ウレタンアクリレートＡ９７重量部、ＰＭＭＡビーズＢ９０重量部、光開始剤Ａ１重量部、光開始剤Ｂ１重量部を、メチルエチルケトン２７７重量部と１−ブタノール２３重量部との混合溶媒に溶解し、溶液を調製した。
【０１３２】
この溶液を、ワイヤーバー（＃６）を用いて、ＰＥＴフィルム上に流延した後、８０℃のオーブン内に１分間放置し、溶媒を蒸発させて厚さ約１μｍのコート層を形成した。
【０１３３】
そして、高圧水銀ランプにより紫外線をコート層に約５秒間照射してコート層を紫外線硬化処理し、防眩フィルムを得た。
【０１３４】
［参考例１］
ウレタンアクリレートＢ３９重量部、シリコーン系ハードコート材１５．７重量部、ＰＭＭＡビーズＡ０．３重量部、架橋スチレンビーズ６．１重量部をメチルエチルケトン３８重量部に溶解、溶液を調製した。
【０１３５】
この溶液を、ワイヤーバー（＃１４）を用いてＰＥＴフィルム上に流延した後、１００℃のオーブン内に１分間放置し、溶媒を蒸発させて厚さ約６μｍのコート層を形成させた。
【０１３６】
そして、高圧水銀ランプにより紫外線をコート層に約５秒間照射してコート層を紫外線硬化処理し、防眩フィルムを得た。
【０１３７】
［参考例２］
シリカ含有アクリル系紫外線硬化性化合物５０質量部とアクリル系紫外線硬化性化合物１５０質量部とを混合した溶液を調製した。この溶液を、ワイヤーバー（＃１４）を用いて、ＰＥＴフィルム上に流延した後、８０℃のオーブン内に１分間放置し、溶媒を蒸発させて厚さ約７μｍのコート層を形成した。
【０１３８】
そして、紫外線ランプにより紫外線をコート層に約５秒間照射して紫外線硬化処理し、防眩フィルムを得た。
【０１３９】
実施例及び参考例で得られた防眩フィルムの評価結果を表１に示す。
【０１４０】
【表１】
2019113876.tif 000002
【０１４１】
表１の結果から明らかなように、実施例の防眩フィルムは、防眩性が高く、反射感も抑制され、視認性も優れていた。
【産業上の利用可能性】
【０１４２】
本発明の防眩フィルムは、種々の表示装置、例えば、ＬＣＤ、陰極管表示装置、有機又は無機ＥＬディスプレイ、フィールドエミッションディスプレイ（ＦＥＤ）、表面電界ディスプレイ（ＳＥＤ）、リアプロジェクションテレビディスプレイ、プラズマディスプレイ、タッチパネル付き表示装置などの表示装置に利用される防眩フィルムとして利用できる。
【０１４３】
また、本発明の防眩フィルムは、各種サイズのスクリーンに対応でき、小型又は携帯型スクリーンの表示装置（例えば、カーナビゲーション用ディスプレイ、ゲーム機器、スマートフォン、タブレットＰＣなどのディスプレイ及びタッチパネル付き表示装置など）、中型スクリーンの表示装置（例えば、ノート型又はラップトップ型ＰＣやデスクトップ型ＰＣなどのＰＣ、テレビなど）、大型スクリーンの表示装置（例えば、デジタルサイネージなど）などに利用できる。これらのうち、解像度の違いに応じて適宜選択できるが、視認性と防眩性とを両立できる点から、中型スクリーンの表示装置に好適に利用できる。さらに、中型スクリーンの表示装置のなかでも、精細度５０〜１５０ｐｐｉ程度の表示装置（ラップトップ型又はデスクトップ型ＰＣ、テレビなど）や、精細度が１５０ｐｐｉを超えて３００ｐｐｉ以下程度である表示装置（ノート型ＰＣやタブレットＰＣなど）などに特に好適に利用できる。
【０１４４】
さらに、防眩層が硬化樹脂前駆体を含むフィルムは、耐擦傷性にも優れるため、ＬＣＤや有機ＥＬディスプレイのアフターマーケット向け保護フィルム（プロテクトフィルム）としても利用できる。